(57)【特許請求の範囲】
【請求項１】
雌家畜の飼育域の一区画に、捕獲すべき発情雌家畜の捕獲柵が、その柵内部への一方通行ゲートを有しつつ設けられており、その捕獲柵外近傍に前記発情雌家畜を誘き寄せる雄家畜咆哮声を流すスピーカー及び／又はその捕獲柵内に前記発情雌家畜を誘き込む開放した雄家畜尿の溜め容器と、その捕獲柵内に前記発情雌家畜を誘き込む雄家畜のおとりとの誘引手段が、前記ゲートの一方通行方向前方に配置されていることを特徴とする発情雌家畜誘引捕獲設備。
【請求項２】
前記家畜が、牛であることを特徴とする請求項１に記載の発情雌家畜誘引捕獲設備。
【請求項３】
前記雄家畜が、種雄牛、又はテストステロン投与された去勢育成雄牛であることを特徴とする請求項２に記載の発情雌家畜誘引捕獲設備。
【請求項４】
前記誘引手段が、少なくとも前記スピーカーを有しており、前記雄家畜咆哮声が、発情した雌牛を前にして咆哮した種雄牛の咆哮声を録音した種雄牛咆哮声であることを特徴とする請求項２に記載の発情雌家畜誘引捕獲設備。
【請求項５】
前記誘引手段が、少なくとも前記家畜尿の溜め容器を有しており、前記雄家畜尿が、種雄牛の尿であることを特徴とする請求項２に記載の発情雌家畜誘引捕獲設備。
【請求項６】
前記誘引手段が、発情した雌牛を前にして咆哮した種雄牛の咆哮声を録音した種雄牛咆哮声を繰返し流す前記スピーカー及び／又は種雄牛の尿の前記溜め容器と、テストステロン投与されている去勢育成雄牛又は種雄牛の前記おとりとであることを特徴とする請求項２に記載の発情雌家畜誘引捕獲設備。
【請求項７】
雌家畜の飼育域の一区画で、雄家畜咆哮声をスピーカーから流し及び／又は雄家畜尿の溜め容器を設置してその近傍に捕獲すべき発情雌家畜を誘き寄せつつ、一方通行ゲートの一方通行方向前方に雄家畜を設置してその近傍に前記発情雌家畜を誘き寄せることを特徴とする発情雌家畜誘引方法。
【請求項８】
前記発情雌家畜を、前記雄家畜咆哮声、前記雄家畜尿の少なくとも何れかで誘き寄せ、前記一方通行ゲートの一方通行方向前方に設置した前記雄家畜で、捕獲柵に設けられた前記一方通行ゲートから前記捕獲柵内へ誘き込んで、捕獲することを特徴とする請求項７に記載の発情雌家畜誘引方法。
【発明の詳細な説明】
【技術分野】
【０００１】
本発明は、排卵しており人工授精可能な発情した雌家畜のみを誘引して捕獲する発情雌家畜誘引捕獲設備、及び発情雌家畜誘引方法に関するものである。
【背景技術】
【０００２】
大型家畜、特に牛は、フリーストール畜舎内での放し飼い飼育や、牧草地や林内放牧地のような屋外での放牧飼育がなされている。殆どの雄牛は、生後数ヵ月で去勢され、育成期に雌牛と別々に飼育される。その雌牛から効率よく出産させるために、人工授精が行われる。
【０００３】
人工授精を行うために、排卵に伴う発情兆候を示しながら動き回っている発情雌牛のみを目視で見付け出し、追い立てて捕獲するのは、長年の経験と長い捕獲作業時間とを必要とするうえ、危険な重労働である。
【０００４】
近年の経営規模拡大に伴う多頭集約飼育の現場での労力の軽減のため濃厚飼料の多給が行われる所為で、発情回帰・排卵周期の遅延や、発情兆候の鈍性化等の繁殖障害が生じ易くなっている。そのため盛んな発情兆候を示さなかったり排卵時特有の生理変化が少なかったりするので、発情雌牛を、見付け出し難い。しかも牛の場合、発情回帰や排卵周期は通常約２１日であるが、その発情持続期間は、十分に発情兆候を示す雌牛で約１５時間、鈍性発情の雌牛で約１８時間しかないから、発情を見逃す恐れがある。
【０００５】
発情回帰の遅延や鈍性発情等の所為で発情個体を見付け出すことすらできなかったり、例え発情雌個体を見付け出しても逃げ回られて捕獲できなかったりすると、十分に発情兆候を示す個体のみならず鈍性発情の個体でさえ授精可能であるのに、人工授精可能な発情期をみすみす逃してしまう。
【０００６】
折角の発情期を逃すと、次の発情期まで待たねばならず、飼育経費や種付け経費がかさむ。
【０００７】
発情期の雌牛が他の雌牛に乗ったり乗られたりする発情兆候の一つである乗駕行動を利用して発情雌牛を見付け出す装置として、特許文献１に、発情雌牛の背部に、その後部から他の牛が乗架した際、その雌牛の背部に加わる他の牛の押圧力を検知する検知器が、開示されている。この検知器では、十分に発情兆候を示す雌牛を見付け出すことはできても、発情兆候が少ない鈍性発情の雌牛を見付け出し難く、しかも人工授精を施すのに容易に捕獲することができない。
【０００８】
特許文献２に、サーモグラフィーを用いて哺乳類の外陰部周辺部位とその隣接部位を撮影し、その熱画像を解析して発情の可能性のある個体のスクリーニング方法が、開示されている。大型家畜の多頭集約飼育や放飼いの現場で、外陰部周辺を撮影するために、１頭ずつ捕獲するのは容易でないうえ、高価で精密なサーモグラフィーを用いてその画像を解析するのは煩雑で効率が悪い。特に放飼いの場合、１頭ずつ捕獲することは相当の重労働である。
【０００９】
特許文献３に、キトサンを家畜の子宮内に注入して、その発情を誘起させ受胎率を向上させる方法が、開示されている。薬物を投与するとその頻度が多くなるにつれ薬物耐性が生じ、薬物の効果が発現し難くなるため、薬物の投与は一時的な処方に限定される。さらに、その家畜の食肉・乳製品を購入する消費者の安全性の観点や、家畜の健全な発情回帰・健康保全の観点から、可能な限り薬物を使用しないことが望まれている。
【００１０】
また、牛の他、馬のような大型家畜や、豚・羊のような中型家畜等の発情した雌家畜を、新規就農者でも簡便に見付け出して、能率良く捕獲することが、人工授精時期の管理、労務の軽減、作業効率の改善等の観点から、求められている。
【００１１】
【特許文献１】特開２００４−５７０６９号公報
【特許文献２】特開２００５−２０４７５０号公報
【特許文献３】特開平１１−１０３７１７号公報
【発明の開示】
【発明が解決しようとする課題】
【００１２】
本発明は前記の課題を解決するためになされたもので、発情した雌家畜を見付け出して誘引し、簡便、確実かつ安全に捕獲するのに用いられ、既存の畜舎や放牧地等の飼育域に大掛かりな改築や改修を行ったり家畜同士の接触等により破損し易い高価な機材を用いたりする必要がなく、適切な家畜管理を行うことができる簡易で安価な発情雌家畜誘引捕獲設備を提供することを目的とする。
【課題を解決するための手段】
【００１３】
前記の目的を達成するためになされた特許請求の範囲の請求項１に記載の発情雌家畜誘引捕獲設備は、雌家畜の飼育域の一区画に、捕獲すべき発情雌家畜の捕獲柵が、その柵内部への一方通行ゲートを有しつつ設けられており、その捕獲柵外近傍に前記発情雌家畜を誘き寄せる雄家畜咆哮声を流すスピーカー及び／又はその捕獲柵内に前記発情雌家畜を誘き込む開放した雄家畜尿の溜め容器と、その捕獲柵内に前記発情雌家畜を誘き込む雄家畜のおとりとの誘引手段が、前記ゲートの一方通行方向前方に配置されていることを特徴とする。
【００１４】
請求項２に記載の発情雌家畜誘引捕獲設備は、請求項１に記載されたもので、前記家畜が、牛であることを特徴とする。
【００１５】
請求項３に記載の発情雌家畜誘引捕獲設備は、請求項２に記載されたもので、前記雄家畜が、種雄牛、又はテストステロン投与された去勢育成雄牛であることを特徴とする。
【００１６】
請求項４に記載の発情雌家畜誘引捕獲設備は、請求項２に記載されたもので、前記誘引手段が、少なくとも前記スピーカーを有しており、前記雄家畜咆哮声が、発情した雌牛を前にして咆哮した種雄牛の咆哮声を録音した種雄牛咆哮声であることを特徴とする。
【００１７】
請求項５に記載の発情雌家畜誘引捕獲設備は、請求項２に記載されたもので、前記誘引手段が、少なくとも前記家畜尿の溜め容器を有しており、前記雄家畜尿が、種雄牛の尿であることを特徴とする。
【００１８】
請求項６に記載の発情雌家畜誘引捕獲設備は、請求項２に記載されたもので、前記誘引手段が、発情した雌牛を前にして咆哮した種雄牛の咆哮声を録音した種雄牛咆哮声を繰返し流す前記スピーカー及び／又は種雄牛の尿の前記溜め容器と、テストステロン投与されている去勢育成雄牛又は種雄牛の前記おとりとであることを特徴とする。
【００１９】
請求項７に記載の発情雌家畜誘引方法は、雌家畜の飼育域の一区画で、雄家畜咆哮声をスピーカーから流し及び／又は雄家畜尿の溜め容器を設置してその近傍に捕獲すべき発情雌家畜を誘き寄せつつ、一方通行ゲートの一方通行方向前方に雄家畜を設置してその近傍に前記発情雌家畜を誘き寄せることを特徴とする。
【００２０】
請求項８に記載の発情雌家畜誘引方法は、請求項７に記載されたもので、前記発情雌家畜を、前記雄家畜咆哮声、前記雄家畜尿の少なくとも何れかで誘き寄せ、前記一方通行ゲートの一方通行方向前方に設置した前記雄家畜で、捕獲柵に設けられた前記一方通行ゲートから前記捕獲柵内へ誘き込んで、捕獲することを特徴とする。
【発明の効果】
【００２１】
本発明の発情雌家畜誘引捕獲設備は、十分に発情した雌家畜のみならず、鈍性発情の雌家畜、とりわけ牛のような大型雌家畜を、見付け出して誘引し自発的に柵へ入らせ、簡便に捕獲して、留置することができるというものである。この設備を用いると、人工授精に適した排卵を伴う発情期の雌家畜であれば、十分に発情行動を行っている発情雌家畜のみならず十分に発情兆候を示していない鈍性発情雌家畜も、その発情レベルに関わらず、選択的かつ確実に、捕獲することができる。
【００２２】
この発情雌家畜誘引捕獲設備によれば、畜舎内のみならず、地形が複雑な広大な放牧地においても，発情雌家畜を、確実に、発見し、誘引、捕獲することができる。
【００２３】
また、この発情雌家畜誘引捕獲設備は、簡易な構成であるから、既存の畜舎や放牧地等の飼育域に大掛かりな改築や改修を行わなくとも短期間で容易く設置でき、また破損し易い高価な機材を用いる必要もない。
【００２４】
本発明の発情雌家畜誘引方法によれば、発情雌家畜を誘き寄せたときの長い滞在時間から、発情雌家畜を簡易かつ確実に見付け出すことができる。
【００２５】
本発明の発情雌家畜誘引捕獲設備を用いたり本発明の発情雌家畜誘引方法を行ったりすれば、発情雌家畜が自発的に参集したり捕獲柵へ捕らわれたりするので、わざわざ発情雌家畜を苦労して見付け出す必要も、また発情雌家畜を追い立てたり無理矢理牽引したりする必要もない。しかも雌家畜に対して薬物を使用しないから、家畜の健全な発情回帰・飼育を行うことができ、その家畜の食肉や乳製品の消費者の安全を担保でき、環境を汚染しない。
【００２６】
そのため、経験の浅い新規就農者のような家畜管理者でも発情雌家畜を安全かつ確実に発見したり捕獲したりでき、家畜管理者による発情雌家畜捕獲作業や人工授精管理業務のみならず家畜飼育管理業務全般の軽減を図ることができ、畜産経営向上、市場の安定化に資する。
【発明を実施するための好ましい形態】
【００２７】
以下、本発明の実施の好ましい形態を詳細に説明するが、本発明の範囲はこれらの形態に限定されるものではない。
【００２８】
本発明の発情雌家畜誘引捕獲設備１は、その形態を示す図１を参照しながら、家畜である乳牛の飼育を例にして説明すると、以下の通りである。
【００２９】
地形が複雑で広大な林内放牧地若しくは牧草地で屋外飼育している牛飼育域１０の一区画、又は畜舎である牛舎１１に隣接した一区画に、発情雌家畜誘引捕獲設備１が設置される。
【００３０】
発情雌家畜誘引捕獲設備１は、捕獲すべき発情雌牛２１ａ・２１ｂの閉鎖捕獲柵１６が、設けられている。捕獲柵１６の一部にその内部への一方通行ゲート１７が設けられている。
【００３１】
ゲート１７の一方通行方向前方であって牛舎１１の屋根近傍に、スピーカー１２が、配置されている。スピーカー１２からは、発情した雌牛を前にして咆哮した種雄牛の咆哮声を録音した種雄牛咆哮声が、牛舎１１内の録音再生器を介して、飼育域１０へ向けて、繰返し放送されている。牛の咆哮声は５種類に分類され、人間には同じに聞こえる声であっても、場面によってその機能が異なると言われているが、この録音した種雄牛咆哮声は、発情した雌牛を呼んでいる咆哮声である。
【００３２】
ゲート１７の一方通行方向前方で捕獲柵１６内部に、雄牛尿を開放して溜めている溜め容器１５が、配置されている。雄牛尿は、種雄牛又はテストステロンを注射されている去勢育成雄牛の尿が挙げられ、中でも種雄牛の尿であると一層好ましい。これらの雄牛から排泄された尿には、昆虫フェロモンほどの揮発性でないにしても、発情した雌牛が嗅ぎ分けることのできる幾分揮発性の発情雌牛誘引物質が含まれている。
【００３３】
また、ゲート１７の一方通行方向前方で捕獲柵１６内部に、雄牛１３を囲っている内部柵１４が、配置されている。雄牛１３は、テストステロンを注射して投与されている去勢育成雄牛であっても、種雄牛であってもよい。テストステロン投与去勢育成雄牛や、種雄牛であると、尿中のものと同種又は異種の発情雌牛誘引物質を分泌したり排出したりするから、一層好ましい。このような去勢育成雄牛が、飼育費を抑制でき飼育し易い例えば９ヵ月齢程度の弱齢の雄牛であっても、種雄牛と同程度の効果を奏する。雄牛１３が、種雄牛であると、なお一層好ましい。
【００３４】
捕獲柵１６には、捕獲された発情雌牛を必要に応じて開放する開閉ゲート１８が、設けられている。捕獲柵１６外で牛舎１１の壁に沿って、飲水場２０が設けられている。
【００３５】
発情雌家畜誘引捕獲設備１を用いた発情雌家畜誘引方法は、以下のようにして実施される。
【００３６】
雌牛２１・２２を、飼育域境界柵１９内の飼育域１０で放牧する。雌牛２１・２２は、飲水のために牛舎１１の飲水場２０近傍に、一日数回必ず立ち寄る。その飲水場２０近傍やさらに遠方に居る雌牛２１・２２は、スピーカー１２から流れる種雄牛咆哮声が聞こえ、捕獲柵１６内の内部柵１４で囲われている去勢育成雄牛１３が見えている。非発情雌牛２２ａ〜２２ｅは、全く去勢育成雄牛にも種雄牛咆哮声にも興味を示さないが、排卵を伴っている発情雌牛２１ａ・２１ｂは、十分に発情していても鈍性発情であっても、去勢育成雄牛や種雄牛咆哮声に興味を示し、それらが提示されている捕獲柵１６外近傍に誘き寄せられる。またそれら発情雌牛２１ａ・２１ｂは、捕獲柵１６内の種雄牛又はテストステロンを注射されている去勢育成雄牛の尿の溜め容器１５からの発情雌牛誘引物質を嗅ぎ付けたり、捕獲柵１６内のおとりである去勢育成雄牛１３を見付けたり嗅ぎ付けたりして、それに近付こうと自発的に一方通行ゲート１７から進入して捕獲柵１６内へ誘き込まれ、発情雌牛２１ａが、捕獲される。
【００３７】
その雌牛２１ａが発情していることは、咆哮、乗駕、陰部を嗅いだり嗅がれたりする発情特有の行動と、外陰部の光沢や腫れ、外陰部からの透明な粘液の分泌など発情特有の生理変化のような外観とから、判断できる。捕獲された雌牛２１ａは、全頭、発情雌牛である。発情雌牛２１ａは捕獲後に開閉ゲート１８から開放しても、直ぐに再捕獲される。
【００３８】
なお、種雄牛咆哮声のスピーカー１２と、種雄牛等の尿の溜め容器１５と、去勢育成雄牛１３を囲う柵１４とを有する発情雌家畜誘引捕獲設備１の例を好ましい態様として示したが、それらの何れかを、有するものであってもよい。種雄牛１３を囲う柵１４を有する場合には、種雄牛咆哮声のスピーカー１２と、種雄牛等の尿の溜め容器１５とを、有しなくてもよい。家畜として乳牛の例を示したが、黒毛牛のような肉牛であってもよく、他の哺乳動物例えば馬のような大型家畜や豚・羊のような中型家畜であってもよい。家畜を屋外で放牧飼育している例を示したが、フリーストール畜舎内で放し飼い飼育していてもよい。
【００３９】
雄牛は、通常、生後数日で出荷され、雌牛と共に飼育することが無いから、本発明に付随する去勢育成雄牛の飼育の労力・費用の負担が幾分増大するが、発情雌牛の誘引・捕獲に利用して、人工授精・妊娠を適正管理することによる経費削減・労務軽減の効果の方が遥かに大きい。
【実施例】
【００４０】
本発明の発情雌家畜誘引方法を用い、発情雌家畜誘引捕獲設備を実際に試作して使用し、発情雌家畜誘引方法の効果を確かめた実施例を、以下に示す。
【００４１】
（実施例１）
雌牛８頭を放牧し、取り扱い易く飼育費を抑制できる９ヵ月齢であってテストステロンを投与された去勢育成雄牛をおとりにして、それを囲う柵に誘き寄せられる雌牛の挙動について、約１ヵ月間半にわたり、検討した。全頭のうち５頭が発情期になったとき、去勢育成雄牛を囲う柵から５ｍ以内の区域内に、誘き寄せられた。誘き寄せられた雌牛は、外観や行動から発情兆候を示しており何れも発情雌牛であり、うち２頭は盛に発情行動を示す雌牛であり、うち３頭は鈍性発情を示す雌牛であった。誘き寄せられなかった残余の雌牛は、外観や行動から何れも非発情雌牛であった。したがって、発情している雌牛だけを確実に捕獲できた。
【００４２】
その発情時の雌牛と非発情時の雌牛とが同区域内に持続して滞在している時間を測定した結果を、図２（Ａ）に示す。また、外観及び行動から発情が持続していると判断される期間中、同区域内に滞在している時間の割合を、同図（Ｂ）に示す。
【００４３】
なお、その平均と平均±標準偏差とを図中に示し、ウェルチのｔ検定を行ったときＰ＜０．０５の場合に有意差ありと判断しＰ≧０．０５のとき有意差なし（ＮＳ）と判断した。
【００４４】
図２から明らかな通り、非発情時の雌牛は、同区域内に持続して滞在していなかったが、同図（Ａ）のように発情時の雌牛は、同区域内に１回当り約３００秒持続して滞在しており、両者の間には有意差があり、また、同図（Ｂ）のように発情時の雌牛は、発情全期間中の約３％もの長時間に、同区域内に持続して滞在していた。
【００４５】
（実施例２）
実施例１と同様に９ヵ月齢の去勢育成雄牛を用い、又はそれに代えて種雄牛を用い、実施例１と同様にして、雌牛の平均滞在持続時間と、雌牛の発情持続時間に対する滞在時間の割合とを求めた。その結果を図３に示す。
【００４６】
図３から明らかな通り、雌牛の平均滞在持続時間と、雌牛の発情持続時間に対する滞在時間の割合とにおけるテストステロンを投与された去勢育成雄牛と種雄牛との間に、有意差がなかった。
【００４７】
実施例１及び２から、発情雌家畜誘引捕獲設備１は、捕獲柵１６と、その内部に配置される種雄牛１３を囲う柵１４との間隔は、５ｍあれば十分であると判断された。
【００４８】
（実施例３）
雌牛を飼育している牛舎内で、飲水場、ミルキングパーラー付近であって酪農作業者が観察・管理し易い牛舎内の一区画に、テストステロンが投与された９ヵ月齢去勢育成雄牛を柵で囲って別飼した。そこから約５ｍ離して取り囲みつつ内部への一方通行ゲートを有する捕獲柵を設け、その捕獲柵外で雌牛を飼育した。捕獲柵内でゲートの一方通行前方に、種雄牛の尿溜め槽を配置し、種雄牛の咆哮声を放送するスピーカーを配置した。盛んな発情兆候を示す雌牛と、鈍性発情の雌牛とが、去勢育成雄牛、種雄牛の尿、種雄牛の咆哮声の提示に誘かれて、一方通行ゲートから捕獲柵内に自発的に進入した。その雌牛を効率良く捕獲して、適時に人工授精させて妊娠させることができた。
【００４９】
（実施例４）
雌牛を放牧飼育している複雑な地形の林内放牧地内で、雌牛が必ず訪れる飲水場近傍の一区画に、テストステロンが投与された９ヵ月齢去勢育成雄牛を柵で囲って別飼した。そこから約５ｍ離して取り囲みつつ内部への一方通行ゲートを有する捕獲柵を設け、その捕獲柵外で雌牛を飼育した。捕獲柵内でゲートの一方通行前方に、種雄牛の尿溜め槽を配置し、種雄牛の咆哮声を放送するスピーカーを配置した。十分に発情した雌牛と、鈍性発情の雌牛とが、去勢育成雄牛、種雄牛の尿、種雄牛の咆哮声の提示に誘かれて、一方通行ゲートから捕獲柵内に自発的に進入した。その雌牛を効率良く捕獲して、適時に人工授精させて妊娠させることができた。
【産業上の利用可能性】
【００５０】
本発明の発情雌家畜誘引捕獲設備及び発情雌家畜誘引方法は、畜舎や放牧地での放し飼いを営む酪農に、利用できる。この設備及び方法によれば、畜舎や放牧地で発情雌家畜を簡便かつ確実に発見し捕獲して、人工授精させ妊娠させて繁殖させる畜産に利用できる。
【図面の簡単な説明】
【００５１】
【図１】本発明を適用する発情雌家畜誘引捕獲設備の概要図である。
【図２】本発明を適用する発情雌家畜誘引方法の効果を示す図である。
【図３】本発明を適用する発情雌家畜誘引方法の効果を示す図である。
【符号の説明】
【００５２】
１は発情雌家畜誘引捕獲設備、１０は飼育域、１１は牛舎、１２はスピーカー、１３は雄牛、１４は内部柵、１５は雄牛尿の溜め容器、１６は捕獲柵、１７は一方通行ゲート、１８は開閉ゲート、１９は飼育域境界柵、２０は飲水場、２１ａ・２１ｂは発情雌牛、２２ａ・２２ｂ・２２ｃ・２２ｄ・２２ｅは非発情雌牛、である。
【図１】
0005067737.tif 000002
【図２】
0005067737.tif 000003
【図３】
0005067737.tif 000004